【事件の表示】
　特願２００３−５７７５６７「アドホックネットワークを用いた無線遠隔測定のための方法及び装置」拒絶査定不服審判事件〔平成１５年　９月２５日国際公開、ＷＯ０３／７９７１７、平成１７年　７月１４日国内公表、特表２００５−５２１３０３〕について、次のとおり審決する。
【結　論】
　本件審判の請求は、成り立たない。
【理　由】
１．手続の経緯と本願発明 
　本願は、２００３年　３月１３日（パリ条約による優先権主張外国庁受理２００２年　３月１５日、（ＵＳ）米国）を国際出願日とする出願であって、平成２１年　９月１５日付けで拒絶査定がなされ、これに対し、平成２２年　１月２２日付けで審判請求がなされたものである。
　特許請求の範囲の請求項１に係る発明（以下、「本願発明」という。）は、明細書及び図面の記載からみて、平成２１年　８月２４日付け手続補正書によって補正された特許請求の範囲の請求項１に記載された以下のとおりのものと認める。 
　
　「【請求項１】
　測定デバイスと、移動ユニットと、中央コントローラとを備えた無線通信システムにおける遠隔測定のための方法であって、
　アドホックネットワークを介して前記移動ユニットによって前記測定デバイスから情報を受信することと、
　この受信した情報を、前記移動ユニットによって、アドホックネットワークを介して、低いトラフィック時間周期で前記中央コントローラへ送信することと、
　前記受信した情報を、少なくとも一つのアドホックネットワークを介して前記中央コントローラへ転送することと
を含む方法。」 
　 
２．引用発明 
（１）これに対して、原査定の拒絶理由に引用された特開２００１−２２３８０６号公報（以下、「引用例１」という。）には、「データ伝送システム、およびデータ伝送方法」として、図面とともに以下の事項が記載されている。
 　
イ．「【０００１】
【発明の属する技術分野】本発明は、一般家庭等に設置された通信機能付きのメータが記憶するデータを、顧客が所有する携帯端末、携帯電話等にエージェントソフトを組み込んだエージェント機能付き通信機を利用してセンタに伝送する、または、センタから特定の相手に特定の命令などを伝送するデータ伝送システムに関するものである。」（３頁４欄）
　
ロ．「【０００９】
【発明の実施の形態】以下、図に基づいて本発明における第１の実施の形態を詳細に説明する。図１は、データ伝送システム１のシステム構成図である。データ伝送システム１は、メータ３とメータに取り付けられた通信機５、エージェント機能付きの通信機７、データの管理を行うセンタ９、回線またはネットワークによりセンタ９に接続された通信装置１１ａ、及び電話回線などの、通信装置１１ａとは異なる回線またはネットワークによりセンタ９に接続され、顧客の家屋に設置された通信装置１１ｂ等からなる。
【００１０】メータ３は、データを測定して記憶する装置であり、例えば各顧客の家屋に設置されたガスメータ等である。通信機５は、メータ３に記憶されたデータの送信などをする装置であり、メータ３と通信機５で通信機能付きメータ１３が構成される。通信機７は、各顧客が携帯して移動する、エージェントソフトを組み込んだ携帯端末等であり、メータ３に記憶されたデータを通信機５から自動的に受信することによりデータの収集を行う。
【００１１】また、通信機７は受信したデータを保存し、通信装置１１ａを介してセンタ９へ送信する。センタ９は複数の通信機７から送信されたデータをコンピュータ管理する。通信機５または通信機７は、所定の期間経過してもセンタ９へデータが送信されないとき、顧客の家屋に設置された通信装置１１ｂを介してデータをセンタ９へ送信する。尚、通信装置１１ａ、通信装置１１ｂとセンタ９は回線交換となっているが、回線交換以外で通信してもよい。また、通信機７がエージェント機能を持たないで、データの内部にエージェント機能を持つオブジェクトを挿入して、通信機７や通信装置１１ａがエージェント機能を発揮するようにしてもよい。」（４頁５欄）
　
ハ．「【００１２】図２のフローチャートに従って、データ伝送システム１におけるデータ収集の手順を説明する。図３は、データを通信機能付きメータ１３から収集するときの例を示す図である。各顧客の家屋１５に設置された例えばガスメータ等のメータ３に通信機５を取り付けた通信機能付きメータ１３がデータを測定し、記憶している（ステップ２０１）。
【００１３】通信機７を持った顧客が通信機能付きメータ１３のデータ伝送圏内（通信圏内）１７に入ると（ステップ２０２）、通信機７は、そのエージェント機能によりデータ伝送圏内１７に入ったことを認識し、通信機能付きメータ１３からデータを直接受信することによりデータの収集を行う（ステップ２０３）。
【００１４】図４は、データをセンタ９に伝送するときの例を示す図である。データを保持した通信機７を携帯した顧客が移動して、センタ９に接続された通信装置１１ａのデータ伝送圏内１９に入ると（ステップ２０４）、通信機７は、そのエージェント機能によりデータ伝送圏内１９に入ったことを認識し、通信装置１１ａを介してセンタ９にデータを送信する（ステップ２０５）。以上の手順によって、顧客の通信機を利用して、通信路を確保できない場合でもデータを収集することができる。
【００１５】尚、通信機能付きメータ１３が記憶し、送信するデータには、測定されたデータのほかに、データの作成日時、センタ９の送信先アドレスなどが含まれており、ステップ２０１または、ステップ２０３で一定時間経過してもセンタ９にデータが送信されない場合には、通信機能付きメータ１３または通信機７が、顧客の家屋に設置された通信機１１ｂを介してデータをセンタ９へ通信送信する。」（４頁５〜６欄）
　
ニ．「【００２５】このように本実施の形態によれば、顧客の持つ携帯端末などを利用してデータの収集を行うので、メータ等の設置箇所からセンタへの通信路を常時設置しておく必要もないし、検針員等が巡回してデータを収集する必要もない。また、通信機能５と通信機７、通信機７と通信装置１１ａ、通信機７と通信装置１１ｂ，及び通信機７同志のそれぞれのデータ伝送圏内におけるデータの送受信は、基地局を介さずに通信を行うため、通話料が無料である。更に、データの収集のみならず、センタから特定のメータへのデータ要求、動作命令などの通信にも利用できるし、メータからセンタにデータ要求、動作命令もできる。」（５頁８欄）
　
　上記引用例１の記載及び図面を参照すると、上記ロ．【０００９】の「・・・データ伝送システム１は、メータ３とメータに取り付けられた通信機５、エージェント機能付きの通信機７、データの管理を行うセンタ９、回線またはネットワークによりセンタ９に接続された通信装置１１ａ、及び電話回線などの、通信装置１１ａとは異なる回線またはネットワークによりセンタ９に接続され、顧客の家屋に設置された通信装置１１ｂ等からなる。」という記載から、引用例１の「データ伝送方法」は「メータ３とメータに取り付けられた通信機５」、「エージェント機能付きの通信機７」、「センタ９」及び「センタ９に接続された通信装置１１ａ」を備えるシステムにおけるものであり、図１〜３及び同イ．【０００１】の「本発明は、一般家庭等に設置された通信機能付きのメータが記憶するデータを、顧客が所有する携帯端末、携帯電話等にエージェントソフトを組み込んだエージェント機能付き通信機を利用してセンタに伝送する。・・・」、同ニ．【００２５】の「・・・本実施の形態によれば、顧客の持つ携帯端末などを利用してデータの収集を行うので、メータ等の設置箇所からセンタへの通信路を常時設置しておく必要もないし、・・・」という記載から、当該システムは無線通信システムといえる。
　そして、上記ロ．【００１０】の「メータ３は、データを測定して記憶する装置であり、例えば各顧客の家屋に設置されたガスメータ等である。・・・」、同ハ．【００１２】の「・・・各顧客の家屋１５に設置された例えばガスメータ等のメータ３に通信機５を取り付けた通信機能付きメータ１３がデータを測定し・・・」という記載から、「メータ３」あるいは「通信機能付きメータ１３」はデータを測定する装置であって、引用例１の「データ伝送方法」は、上記イ．【０００１】の「本発明は、一般家庭等に設置された通信機能付きのメータが記憶するデータを、・・・センタに伝送する・・・」という記載から、「顧客の家屋に設置された」「メータ３」あるいは「通信機能付きメータ１３」が測定したデータを「センタ」に伝送するためのものである。
　さらに、上記ロ．【００１０】の「・・・通信機７は、各顧客が携帯して移動する、エージェントソフトを組み込んだ携帯端末等であり、メータ３に記憶されたデータを通信機５から自動的に受信することによりデータの収集を行う。」という記載から、「通信機７」は移動可能であり、「メータに取り付けられた通信機５」からデータを受信し、同【００１１】の「・・・通信機７は受信したデータを保存し、通信装置１１ａを介してセンタ９へ送信する。・・・」という記載から、「通信機７」は「センタ９」に受信したデータを送信するものである。
　また、上記ハ．【００１３】の「通信機７を持った顧客が通信機能付きメータ１３のデータ伝送圏内（通信圏内）１７に入ると（ステップ２０２）、通信機７は、そのエージェント機能によりデータ伝送圏内１７に入ったことを認識し、通信機能付きメータ１３からデータを直接受信することによりデータの収集を行う（ステップ２０３）。」及び同【００１４】の「・・・データを保持した通信機７を携帯した顧客が移動して、センタ９に接続された通信装置１１ａのデータ伝送圏内１９に入ると（ステップ２０４）、通信機７は、そのエージェント機能によりデータ伝送圏内１９に入ったことを認識し、通信装置１１ａを介してセンタ９にデータを送信する（ステップ２０５）。」という記載から、「通信機７」は「通信機能付きメータ１３のデータ伝送圏内（通信圏内）１７に入ると」、「通信機能付きメータ１３からデータを直接受信」し、「センタ９に接続された通信装置１１ａのデータ伝送圏内１９に入ると」、「通信装置１１ａを介してセンタ９にデータを送信する」ものである。
　上記イ．【０００１】の「・・・センタから特定の相手に特定の命令などを伝送する・・・」及び同ニ．【００２５】の「・・・データの収集のみならず、センタから特定のメータへのデータ要求、動作命令などの通信にも利用できる・・・」という記載から、「センタ９」はコントロール機能を有するものである。
　したがって、上記引用例１には、以下の発明（以下、「引用発明１」という。）が記載されている。 
　
　「データを測定する通信機能付きメータ１３と、移動可能な通信機７と、通信装置１１ａに接続され、コントロール機能を有するセンタ９を備えた無線通信システムにおいて、顧客の家屋に設置された前記通信機能付きメータ１３が測定したデータをセンタ９に伝送するための方法であって、
　前記移動可能な通信機７が前記通信機能付きメータ１３のデータ伝送圏内１７に入ると前記通信機能付きメータ１３からデータを受信することと、
　該受信したデータを、前記移動可能な通信機７が前記センタ９に接続された前記通信装置１１ａのデータ伝送圏内１９に入ると、該通信装置１１ａを介してセンタ９に送信することと
含む方法。」
　
（２）同じく原査定の拒絶理由に引用された国際公開第０１／７４０４５号（２００１年１０月　４日国際公開。以下、「引用例２」という。）には、「Transmission of control information」（制御情報の伝送）（（　）内は当審の仮訳。）に関し、図面とともに以下の事項が記載されている。
　
イ．「The embodiments of the present invention aim to address one or several of the above problems and to provide a feasible solution for communication of information between an on-site controller and a remote control entity. 
（本発明の実施態様は１つまたはいくつかの上記の問題に取組み、現場のコントローラと遠隔のコントロール装置との間の情報の通信に対する可能な解決策を提供することが目的である。）
　
According to one aspect of the present invention, there is provided a method for communication between an on-site controller of a utility commodity system and a remote data processing unit associated with the utility commodity system, wherein the on-site controller is associated with a wireless module, the remote unit is provided with a connection to a telecommunications system that provides wireless communication for a plurality of mobile stations, and each mobile station of the plurality of mobile stations is enabled to communicate with the wireless module, the method comprising : detecting that a mobile station of said plurality of mobile stations is located such that it is possible to establish a wireless link in accordance with a first wireless mode between the wireless module and said mobile station ; and upon detection of the possibility for the wireless link, transmitting information between the controller and the remote unit via a first wireless link that is established in accordance with the first wireless mode between the wireless module and the mobile station and a second wireless link between the mobile station and the wireless telecommunication system, said second wireless link being based on a second wireless mode, wherein the mobile station acts as a gateway between the first and second wireless links. 
（本発明の一面によると、利用する製品システムの現場のコントローラと利用する製品システムに関連した遠隔のデータ処理ユニットとの間の通信方法を提供する。その際、現場のコントローラは無線モジュールが付属し、遠隔ユニットは複数の移動ステーションとの無線通信を提供する遠隔通信システムと接続され、複数の移動ステーションのそれぞれは無線モジュールと通信可能になっている。この方法は、該複数の移動ステーションのうちの１つの移動ステーションが第１の無線モードに従って無線モジュールと該移動ステーションとの間で無線リンクを確立することが可能な位置にあることを検出すること、無線リンクの可能性を検出すると、第１の無線モードに従って無線モジュールと移動ステーションとの間で確立した第１の無線リンクと、移動ステーションと無線遠隔通信システムとの間の第２の無線リンクを経由して、コントローラと遠隔ユニットの間で情報を伝送することから成り、該第２の無線リンクは第２の無線モードに基づくものであり、その際、移動ステーションは第１と第２の無線リンクの間のゲートウェイとして機能する。）
　
In accordance with more specific embodiments, the first wireless link may comprise a short range radio link between the mobile station and the wireless module. The first wireless link may be based on at least one unlicensed radio frequency band. The first wireless link may employ frequency hopping. 
（より詳細な実施態様によると、第１の無線リンクは移動ステーションと無線モジュールとの間の近距離無線リンクで構成できる。第１の無線リンクは少なくとも１つの免許の要らない無線周波数バンドとすることができる。）
　
The transmissions may include packet data. The frequency of transmission via the first wireless link may be changed between the subsequent data packets. The first wireless link may be based on a short range radio link protocol that is defined by Bluetooth Special Interest Group (SIG). Information may be transmitted from the on-site controller to the remote data processing unit and/or from the remote data processing unit to the on-site controller. 」
（伝送にはパケットデータが含まれる。第１の無線リンクを経由する伝送の周波数は続くデータパケットの間で変えることができる。第１の無線リンクは、ブルートゥーススペシャルインタレストグループ（SIG）によって定義された近距離無線リンクプロトコルに基づくものとすることができる。）（７頁１１行〜８頁１９行）
　
ロ．「The meter 10 of Figure 1 provides an on-site controller that may provide various control functions relating to the inflow, distribution and consumption of electricity within the household 16. ・・・However, instead of this, the control unit 10 of Figure 1 is provided with a remote meter reading function. More particularly, the control unit 10 is provided with a wireless module 11 and antenna 12 for wirelessly transmitting and/or receiving radio frequency signals so that reading information may be communicated to a remote data processing unit 14 of the system.」
（図１のメータ１０は、家庭１６内の電力の流入量、分配及び消費に関連する様々なコントロール機能を提供できる現場のコントローラを提供する。・・・しかしながら、これに代わって、図１のコントロールユニット１０は遠隔でメータを読みとる機能を備えている。特に、コントロールユニット１０は、無線周波数信号を無線で伝送、および／または、受信するための無線モジュール１１とアンテナ１２を備え、読みとる情報がシステムの遠隔データ処理ユニット１４に伝えられる。）（１２頁２１行〜１３頁２行）
　
ハ．「Referring now also to the flowchart of Figure 3, the data transmission arrangement may be such that the wireless module 11 of the controller unit 10 monitors continuously if a mobile station with a co-operational wireless module has entered the short range radio link service area 33 (see Figure 2) of the wireless module 11. After a mobile station 20 with a co-operative module 19 has entered a BluetoothTM 'piconet' 33 of the module 11, and upon detection of the mobile station 20, the controller 10 may send an initial enquiry concerning the services provided by the detected mobile station. The detection may be based on a BluetoothTM 'broadcast and join the piconet' protocol.」
（ここで図３のフローチャートを参照すると、データ伝送手段は、コントローラユニット１０の無線モジュール１１が共通の機能を備えた無線モジュールを有する移動ステーションが無線モジュール１１の近距離無線サービスエリア３３（図２参照）に入ったか否かを連続的にモニタするようなものとすることができる。共通の機能をするモジュール１９を有する移動ステーション２０がモジュール１１のブルートゥース「ピコネット」３３に入った後、移動ステーション２０を検出して、コントローラ１０は検出された移動ステーションが提供するサービスに関する最初の問い合わせを送信することができる。検出はブルートゥースの「ブロードキャスト　アンド　ジョイン　ザ　ピコネット」プロトコルに基づくものとすることができる。）（２３頁１９行〜２３頁３０行）
　
　上記引用例２及び図面を参照すると、上記イ．「・・・there is provided a method for communication between an on-site controller of a utility commodity system and a remote data processing unit associated with the utility commodity system, ・・・」という記載から、引用例２には「現場のコントローラ」と「遠隔のデータ処理ユニット」との間のデータ伝送方法が記載され、さらに、同イ．「・・・wherein the on-site controller is associated with a wireless module, ・・・and each mobile station of the plurality of mobile stations is enabled to communicate with the wireless module,・・・」という記載から、「現場のコントローラ」は「無線モジュール」を備え、「移動ステーション」と通信することができるものである。
　そして、上記イ．「・・・transmitting information between the controller and the remote unit via a first wireless link that is established in accordance with the first wireless mode between the wireless module and the mobile station and a second wireless link between the mobile station and the wireless telecommunication system,・・・」という記載から、「現場のコントローラ」が備える「無線モジュール」と「移動ステーション」は「第１の無線モードに従って」「第１の無線リンク」を介して情報を伝送するものであり、さらに、同イ．「・・・the remote unit is provided with a connection to a telecommunications system that provides wireless communication for a plurality of mobile stations,・・・」という記載から、「遠隔のデータ処理ユニット」は「移動ステーション」と「第２の無線リンク」である「無線電話通信システム」で通信するものであるから、「現場のコントローラ」と「遠隔のデータ処理ユニット」は「移動ステーション」を介して情報を伝送するものである。
　上記イ．「・・・The first wireless link may be based on a short range radio link protocol that is defined by Bluetooth Special Interest Group (SIG).・・・」、同ハ．「・・・the wireless module 11 of the controller unit 10 monitors continuously if a mobile station with a co-operational wireless module has entered the short range radio link service area 33 (see Figure 2) of the wireless module 11. After a mobile station 20 with a co-operative module 19 has entered a BluetoothTM 'piconet' 33 of the module 11,・・・」、「・・・The detection may be based on a BluetoothTM 'broadcast and join the piconet' protocol.・・・」という記載から、「現場のコントローラ１０」が備える「無線モジュール１１」と「移動ステーション２０」の「第１の無線リンク」は「近距離無線リンク」であって、「ブルートゥース」の「ピコネット」を構成するものである。
　また、上記ロ．の記載から、「現場のコントローラ」は「メータ」であり、データを測定するものである。
　したがって、上記引用例２には、以下の発明（以下、「引用発明２」という。）が記載されている。 
　
　「データを測定する無線モジュールを備えたメータと遠隔のデータ処理ユニットとが移動ステーションを介して情報を伝送する方法において、無線モジュールを備えたメータと移動ステーションはブルートゥースのピコネットを用いて通信を行う方法。」
　
３．対比 
　本願発明と引用発明１を比較すると、引用発明１の「データを測定する通信機能付きメータ１３」、「移動可能な通信機７」、「コントロール機能を有するセンタ９」は、本願発明の「測定デバイス」、「移動ユニット」、「中央コントローラ」に、それぞれ相当する。
　また、引用発明１の「顧客の家屋に設置された前記通信機能付きメータ１３が測定したデータをセンタに伝送するための方法」は、通常、顧客の家屋とセンタは離れた場所に有ることから、本願発明の「遠隔測定のための方法」に相当する。
　そして、引用発明１の「前記移動可能な通信機７が前記通信機能付きメータ１３のデータ伝送圏内１７に入ると前記通信機能付きメータ１３からデータを受信すること」と本願発明の「アドホックネットワークを介して前記移動ユニットによって前記測定デバイスから情報を受信すること」は、いずれも「前記移動ユニットによって前記測定デバイスから情報を受信すること」で一致する。
　さらに、引用発明１の「該受信したデータを、前記移動可能な通信機７が前記センタ９に接続された前記通信装置１１ａのデータ伝送圏内１９に入ると、該通信装置１１ａを介してセンタ９に送信すること」と本願発明の「この受信した情報を、前記移動ユニットによって、アドホックネットワークを介して、低いトラフィック時間周期で前記中央コントローラへ送信すること」は、いずれも「この受信した情報を、前記移動ユニットによって、前記中央コントローラへ送信すること」で一致し、引用発明１の「該受信したデータを、前記移動可能な通信機７が前記センタ９に接続された前記通信装置１１ａのデータ伝送圏内１９に入ると、該通信装置１１ａを介してセンタ９に送信すること」は、「該受信したデータを、センタ９に転送すること」でもあるので、本願発明の「前記受信した情報を、少なくとも一つのアドホックネットワークを介して前記中央コントローラへ転送すること」とも「前記受信した情報を、前記中央コントローラへ転送すること」で一致する。
　
　したがって、本願発明と引用発明１は、以下の点で一致ないし相違する。
　
＜一致点＞ 
　「測定デバイスと、移動ユニットと、中央コントローラとを備えた無線通信システムにおける遠隔測定のための方法であって、
　前記移動ユニットによって前記測定デバイスから情報を受信することと、
　この受信した情報を、前記移動ユニットによって、前記中央コントローラへ送信することと、
　前記受信した情報を、前記中央コントローラへ転送することと
を含む方法。」 
　
＜相違点＞ 
（１）本願発明は「アドホックネットワークを介して」移動ユニットによって測定デバイスから情報を受信するのに対し、引用発明１は「アドホックネットワークを介して」いるか否か不明である点。
（２）本願発明は受信した情報を、移動ユニットによって、「アドホックネットワークを介して」、前記中央コントローラへ送信するのに対し、引用発明１は「アドホックネットワークを介して」いるか否か不明である点。
（３）本願発明は受信した情報を、移動ユニットによって、「低いトラフィック時間周期で」中央コントローラへ送信するのに対し、引用発明１は「低いトラフィック時間周期で」送信するのか否か不明である点。
（４）本願発明は受信した情報を、「少なくとも一つのアドホックネットワークを介して」中央コントローラへ転送するのに対して、引用発明１は「アドホックネットワークを介して」いるか否か不明である点
　
４．検討 
　まず、上記相違点（１）について検討すると、上記引用発明２の「無線モジュールを備えたメータ」、「移動ステーション」は本願発明の「測定ユニット」、「移動ユニット」に相当し、「測定ユニット」からのデータを「移動ユニット」で受信する際に、ブルートゥースによるネットワークを構成することは、上記引用発明２として公知であり、ブルートゥースがアドホックネットワーク構成する機能を提供することは当業者にとって周知（例えば、特開２０００−２２４１５６号公報【００１０】、特開２００１−　２４５７９号公報【０００３】参照。）のことであるから、引用発明１の「データを測定する通信機能付きメータ１３」と「移動可能な通信機７」とのデータ受信において、引用発明２ブルートゥースによるネットワークを利用して「アドホックネットワーク」を構成することは容易になし得ることである。
　また、無線通信端末が近距離にある場合に、アドホックネットワークを構成して通信を行うことは周知(例えば、特開２０００−２２４１５６号公報【００３２】、特開２００１−　２４５７９号公報【０００３】、特開２００１−２８５３４５号公報【０００２】参照。）のことであり、引用発明１は「移動可能な通信機７」が「通信機能付きメータ１３」の「データ伝送圏内１７」に入ると「前記通信機能付きメータ１３」からデータを受信するものであり、当該引用発明１の構成に係る引用例１の図３を参照すると、「データ伝送圏内１７」は「通信機能付きメータ１３」と無線による送受信が可能な限られた領域となることが明らかであるから、「データ伝送圏内１７」において上記周知技術を利用して「アドホックネットワーク」を構成することは容易になし得ることである。
　したがって、本願発明の「アドホックネットワークを介して」移動ユニットによって測定デバイスから情報を受信することは、引用発明１及び引用発明２または周知技術に基づいて容易になし得ることである。
　次に、上記相違点（２）及び（４）について検討すると、上記相違点（１）についての検討において記載したように、無線通信端末が近距離にある場合に、アドホックネットワークを構成して通信を行うことは周知(例えば、特開２０００−２２４１５６号公報【００３２】、特開２００１−　２４５７９号公報【０００３】、特開２００１−２８５３４５号公報【０００２】参照。）のことである。
　そして、引用発明１は「受信したデータ」を、「移動可能な通信機７」が「センタ９に接続された通信装置１１ａ」の「データ伝送圏内１９」に入ると、「該通信装置１１ａ」を介して「センタ９」に送信するものであり、当該引用発明１の構成に係る引用例１の図４を参照すると、「データ伝送圏内１９」は「通信装置１１ａ」と無線による送受信が可能な限られた領域となることが明らかであるから、「データ伝送圏内１９」において上記周知技術を利用して「アドホックネットワーク」を構成することは容易になし得ることである。
　したがって、本願発明の受信した情報を、移動ユニットによって、「アドホックネットワークを介して」、前記中央コントローラへ送信する、あるいは、受信した情報を、「少なくとも一つのアドホックネットワークを介して」中央コントローラへ転送することは、引用発明１及び周知技術に基づいて当業者が容易になし得ることである。
　さらに、上記相違点（３）について検討すると、測定したデータを該データを監視している中央コントローラ等の監視装置にどのくらいの容量のデータを、どのような周期あるいはタイミングで送信するかは、測定の目的や対象に応じて決めるべき設計的事項（例えば、特開２０００−２６７８９２号公報【請求項１】〜【請求項４】、特開平６−２０９４９３号公報【請求項１】〜【請求項３】、【０１２２】、特開平６−３１１２５３号公報【０００２】第１〜３行参照。）であり、本願発明の「低いトラフィック時間周期で」中央コントローラへ送信することは、当業者が所望に応じて適宜なし得ることである。
　そして、本願発明の作用効果も引用発明１、２及び周知技術から当業者が予測できる範囲のものである。 
　
５．むすび 
　以上のとおり、本願発明は、上記引用例１、２に記載された発明及び周知技術に基づいて、当業者が容易に発明をすることができたものと認められるから、特許法第２９条第２項の規定により特許を受けることができない。 
　
　よって、結論のとおり審決する。